(57)【要約】【課題】ユーザ認証が行われたとき、認証されたユーザにユーザ認証が行われた旨を通知することができる画像処理装置を提供する。【解決手段】ネットワークを介して接続されたコンピュータのＩＰアドレスと当該コンピュータを使用するユーザのユーザＩＤとを関連付けて記憶するユーザ情報記憶部１７０と、ユーザ認証を行うためのユーザＩＤとパスワードの入力をネットワークを介して接続されたコンピュータから受け付けるネットワークＩ／Ｆ部１６０を備えた。さらに、ユーザ認証を行うべくユーザＩＤを受け付けたとき、そのユーザＩＤと関連付けてユーザ情報記憶部１７０に記憶されているそのユーザが使用するコンピュータのＩＰアドレスを宛先にして、そのコンピュータに、そのユーザＩＤを用いてユーザ認証が行われた旨を示す通知情報を送信する通知部１０７を備えた。【選択図】図２
2004297680.tif 000002
【特許請求の範囲】
【請求項１】
ネットワークを介して複数のコンピュータとデータを送受信可能に接続され、前記データを用いて種々の画像処理を実行する画像処理部を備えた画像処理装置であって、
前記コンピュータを特定するためのアドレス情報とユーザを特定するためのユーザ情報とを関連付けて記憶するユーザ情報記憶部と、
前記ユーザ情報の入力を受け付けるユーザ情報受付部と、
前記ユーザ情報受付部によって受け付けられたユーザ情報と関連付けて前記ユーザ情報記憶部に記憶されているアドレス情報により特定される通知対象のコンピュータへ、前記ネットワークを介してそのユーザ情報が受け付けられた旨を示す通知情報を送信する通知部を備えたことを特徴とする画像処理装置。
【請求項２】
前記ユーザ情報受付部は、ネットワークを介して接続されたコンピュータから前記ユーザ情報を受け付けると共に、そのコンピュータを特定する送信元アドレス情報を取得し、
前記通知部は、前記ユーザ情報受付部によって前記ユーザ情報及び前記送信元アドレス情報が受け付けられ、かつそのユーザ情報と関連付けて前記ユーザ情報記憶部に記憶されているアドレス情報とその送信元アドレス情報とが異なることを示す通知条件が成立したとき、前記通知対象のコンピュータへ、前記ネットワークを介して前記通知情報を送信することを特徴とする請求項１記載の画像処理装置。
【請求項３】
前記通知部は、前記ユーザ情報受付部によって前記ユーザ情報及び前記送信元アドレス情報が受け付けられ、かつ、そのユーザ情報と関連付けて前記ユーザ情報記憶部に記憶されているアドレス情報と、その送信元アドレス情報とが一致するとき、前記通知対象のコンピュータへ前記通知情報を送信しないことを特徴とする請求項２記載の画像処理装置。
【請求項４】
ユーザからの前記種々の処理を実行させるための動作指示をネットワークを介して受け付ける動作指示受付部と、
前記種々の処理を中断させるための、前記通知情報に基づく中断要求を、前記通知対象のコンピュータから前記ネットワークを介して受け付ける中断要求受付部と、
前記動作指示受付部により受け付けられた動作指示に応じた処理を前記画像処理部に実行させると共に、前記中断要求が中断要求受付部により受け付けられたとき、その中断要求に応じて前記画像処理部の処理動作を中断させる動作制御部とをさらに備えることを特徴とする請求項１〜３のいずれかに記載の画像処理装置。
【請求項５】
前記動作制御部は、前記通知部により前記通知情報が送信されたとき、その通知情報が送信されてから所定時間経過後に、前記動作指示に応じた処理を前記画像処理部に実行させることを特徴とする請求項４記載の画像処理装置。
【請求項６】
前記アドレス情報は、ＩＰアドレスであることを特徴とする請求項１〜５のいずれかに記載の画像処理装置。
【発明の詳細な説明】
【０００１】
【発明の属する技術分野】
本発明は、ユーザの認証機能を備えたファクシミリ、複写機、プリンター、及びこれらが組み合わされた複合機等の画像処理装置に関するものである。
【０００２】
【従来の技術】
従来、例えば、ユーザが原稿の複写やファクシミリの送信などを行うときに、ユーザの認証を行うことにより、ユーザ毎、あるいはユーザが所属する部門毎に複写枚数を制限したり、ファクシミリの送信を制限したり、あるいは課金したりする画像処理装置が知られている。このような画像処理装置としては、ユーザが複写等の画像形成処理を行わせるときや、ユーザがネットワークに接続されたパーソナルコンピュータ等から画像や文書データを送信して画像処理装置のプリンタ機能を用いて画像形成処理を行わせたりするとき等に、操作パネルを用いてユーザＩＤとパスワードとを入力したり、ネットワークを介してパーソナルコンピュータからユーザＩＤとパスワードとを送信させたり、あるいは電話回線を介してユーザＩＤとパスワードとを送信することにより、画像処理装置を使用するためのユーザの認証を行うようにしたものが知られている。
【０００３】
【発明が解決しようとする課題】
しかし、上記のように、ユーザＩＤとパスワードとを用いてユーザ認証を行う画像処理装置では、正規のユーザが知らない間に正規ユーザになりすました他のユーザによって、不正にユーザＩＤとパスワードとが用いられて画像処理装置が使用されるおそれがある。
【０００４】
本発明は上記事情に鑑みてなされたもので、ユーザ認証が行われたとき、認証されたユーザにユーザ認証が行われた旨を通知することができる画像処理装置を提供することを目的とする。
【０００５】
【課題を解決するための手段】
請求項１に記載の発明は、ネットワークを介して複数のコンピュータとデータを送受信可能に接続され、前記データを用いて種々の画像処理を実行する画像処理部を備えた画像処理装置であって、前記コンピュータを特定するためのアドレス情報とユーザを特定するためのユーザ情報とを関連付けて記憶するユーザ情報記憶部と、前記ユーザ情報の入力を受け付けるユーザ情報受付部と、前記ユーザ情報受付部によって受け付けられたユーザ情報と関連付けて前記ユーザ情報記憶部に記憶されているアドレス情報により特定される通知対象のコンピュータへ、前記ネットワークを介してそのユーザ情報が受け付けられた旨を示す通知情報を送信する通知部を備えたことを特徴としている。
【０００６】
請求項１に記載の発明によれば、ユーザが入力したユーザ情報がユーザ情報受付部によって受け付けられると、そのユーザ情報が受け付けられた旨を示す通知情報が、ユーザ情報と関連付けてユーザ情報記憶部に記憶されているアドレス情報により特定される通知対象のコンピュータへ、前記ネットワークを介して送信される。
【０００７】
請求項２に記載の発明は、請求項１に記載の画像処理装置において、前記ユーザ情報受付部は、ネットワークを介して接続されたコンピュータから前記ユーザ情報を受け付けると共に、そのコンピュータを特定する送信元アドレス情報を取得し、前記通知部は、前記ユーザ情報受付部によって前記ユーザ情報及び前記送信元アドレス情報が受け付けられ、かつそのユーザ情報と関連付けて前記ユーザ情報記憶部に記憶されているアドレス情報とその送信元アドレス情報とが異なることを示す通知条件が成立したとき、前記通知対象のコンピュータへ、前記ネットワークを介して前記通知情報を送信することを特徴としている。
【０００８】
請求項２に記載の発明によれば、ユーザ情報受付部によって、ユーザ情報が受け付けられると共に、そのユーザ情報の送信を行ったコンピュータを特定するための送信元アドレスが取得され、かつそのユーザ情報と関連付けてユーザ情報記憶部に記憶されているアドレス情報と送信元アドレス情報とが異なっていた場合、通知部によりネットワークを介して前記通知対象のコンピュータへ通知情報が送信される。
【０００９】
請求項３に記載の発明は、請求項２記載の画像処理装置において、前記通知部は、前記ユーザ情報受付部によって前記ユーザ情報及び前記送信元アドレス情報が受け付けられ、かつ、そのユーザ情報と関連付けて前記ユーザ情報記憶部に記憶されているアドレス情報と、その送信元アドレス情報とが一致するとき、前記通知対象のコンピュータへ前記通知情報を送信しないことを特徴としている。
【００１０】
請求項３に記載の発明によれば、ユーザ情報受付部によってユーザ情報及び送信元アドレス情報が受け付けられ、かつ、そのユーザ情報と関連付けてユーザ情報記憶部に記憶されているアドレス情報と、その送信元アドレス情報とが一致するとき、通知情報が送信されることがない。
【００１１】
請求項４に記載の発明は、請求項１〜３のいずれかに記載の画像処理装置において、ユーザからの前記種々の処理を実行させるための動作指示をネットワークを介して受け付ける動作指示受付部と、前記種々の処理を中断させるための、前記通知情報に基づく中断要求を、前記通知対象のコンピュータから前記ネットワークを介して受け付ける中断要求受付部と、前記動作指示受付部により受け付けられた動作指示に応じた処理を前記画像処理部に実行させると共に、前記中断要求が中断要求受付部により受け付けられたとき、その中断要求に応じて前記画像処理部の処理動作を中断させる動作制御部とをさらに備えることを特徴としている。
【００１２】
請求項４に記載の発明によれば、動作指示受付部によってユーザからの動作指示がネットワークを介して受け付けられる。そして、動作指示受付部により受け付けられた動作指示に応じた処理が画像処理部によって実行される。さらに、前記通知情報に基づく中断要求が、中断要求受付部により通知対象のコンピュータからネットワークを介して受け付けられたとき、その中断要求に応じて画像処理部の処理動作が中断する。
【００１３】
請求項５に記載の発明は、請求項４に記載の画像処理装置において、前記動作制御部は、前記通知部により前記通知情報が送信されたとき、その通知情報が送信されてから所定時間経過後に、前記動作指示に応じた処理を前記画像処理部に実行させることを特徴としている。
【００１４】
請求項５に記載の発明によれば、通知部により通知情報が送信されてから所定時間経過後に、動作指示受付部により受け付けられた動作指示に応じた処理が画像処理部によって実行される。
【００１５】
請求項６に記載の発明は、請求項１〜５のいずれかに記載の画像処理装置において、前記アドレス情報は、ＩＰアドレスであることを特徴としている。請求項６に記載の発明によれば、アドレス情報としてＩＰアドレスが用いられる。
【００１６】
【発明の実施の形態】
以下、本発明に係る画像処理装置の一実施形態について図面を参照して説明する。図１は本発明に係る画像処理装置の一例であるデジタル複合機１を用いた画像処理システムの全体構成図である。図１に示すデジタル複合機１は、例えばＬＡＮ（Ｌｏｃａｌ  Ａｒｅａ  Ｎｅｔｗｏｒｋ）等のネットワーク２０に接続されている。そして、ネットワーク２０には、例えばパーソナルコンピュータ等の複数のコンピュータ１０ａ，１０ｂ，１０ｃが接続され、デジタル複合機１と複数のコンピュータ１０ａ，１０ｂ，１０ｃとの間でネットワーク２０を介してデータ送受信が可能にされている。
【００１７】
また、ネットワーク２０に接続されているコンピュータ１０ａ，１０ｂ，１０ｃ、及びデジタル複合機１には、それぞれ各コンピュータ及びデジタル複合機１を特定するためのアドレス情報としてＩＰ（Ｉｎｔｅｒｎｅｔ  Ｐｒｏｔｏｃｏｌ）アドレスが付与されており、例えばデジタル複合機１からコンピュータ１０ａへデータを送信する場合、デジタル複合機１は、送信データに、宛先としてコンピュータ１０ａのＩＰアドレスを付加し、送信元としてデジタル複合機１のＩＰアドレスを付加して送信する。
【００１８】
これにより、例えばデジタル複合機１からネットワーク２０へ送信されたデータが、宛先のＩＰアドレスが付与されているコンピュータ１０ａにより受信可能にされている。また、コンピュータ１０ａは、デジタル複合機１から受信した送信データに付加されている送信元のデジタル複合機１のＩＰアドレスを取得して、取得したＩＰアドレスを宛先にしてデータ送信元のデジタル複合機１へネットワーク２０を介してデータを送信することが可能にされている。
【００１９】
同様に、例えばデジタル複合機１が、コンピュータ１０ａからデータを受信した場合、デジタル複合機１は、そのデータに付加されている送信元のコンピュータ１０ａのＩＰアドレスを取得することが可能にされている。
【００２０】
図１に示すデジタル複合機１は、コピー機能、ファクシミリ機能、プリンタ機能、スキャナ機能等の機能を兼ね備えている。
【００２１】
図２は、本発明に係る画像処理装置の一例であるデジタル複合機１の概略ブロック図である。デジタル複合機１には、装置全体の動作制御を司る制御部１００が備えられている。この制御部１００には、露光ランプ及びＣＣＤ（Ｃｈａｒｇｅ  Ｃｏｕｐｌｅｄ  Ｄｅｖｉｃｅ）等からなる原稿画像の読み取りが可能なスキャナ部１２０と、用紙搬送部１３１、画像形成部１３２、転写部１３３及び定着部１３４等からなる記録部１３０とが接続されている。
【００２２】
また、制御部１００には、スキャナ部１２０で読み取られた文書データ等が保存される画像メモリ１４０、ユーザ情報を記憶するユーザ情報記憶部１７０、実行中のジョブのジョブＩＤを記憶するジョブＩＤ記憶部１８０、及びユーザからの操作入力を受け付ける操作パネル部１９０が接続されている。
【００２３】
また、制御部１００は、ファクシミリ通信部１５０を介して電話回線と接続されている。また、制御部１００は、ネットワークＩ／Ｆ部１６０を介してネットワーク２０と接続され、ネットワーク２０に接続されたコンピュータ１０ａ，１０ｂ，１０ｃとデータ送受信可能にされている。
【００２４】
用紙搬送部１３１は、記録紙を搬送する図略の搬送ローラ等から構成され、記録紙を収納する図略の用紙カセットから記録紙を１枚ずつ繰り出して画像形成部１３２へ搬送し、画像形成部１３２によって画像が形成された記録紙を図略の排出トレイに排出する。
【００２５】
画像形成部１３２は、画像メモリ１４０に記憶されている画像データを用いて用紙搬送部１３１により搬送されてきた記録紙に画像を形成するもので、例えば、表面を帯電させた図略の感光体ドラムの表面に、画像メモリ１４０に記憶された画像データに基づきレーザー光を出力して感光体ドラムを露光すると共に、露光された感光体ドラム上にトナー像を形成する。
【００２６】
転写部１３３は、画像形成部１３２により形成されたトナー像を記録紙に転写する。定着部１３４は、転写部１３３によりトナー像が転写された記録紙を加熱してトナー像を記録紙に定着させることにより、記録紙に画像を形成する。
【００２７】
操作パネル部１９０は、デジタル複合機１の操作に必要な各種の動作指示がユーザから入力されるものである。操作パネル部１９０は、例えば液晶表示器等からなり、デジタル複合機１の操作に必要な各種操作ガイド表示等が表示される表示部１９１と、コピーやファクシミリ送信等の動作指示を受け付ける操作キー、ユーザ認証を行うためのパスワード等のユーザ情報の入力を受け付けるテンキー等からなる操作キー部１９２とを有している。なお、表示部１９１は、タッチパネル機能を備え、ユーザが当該タッチパネルに接触することによって必要な指示を入力できる構成を有することが好ましい。
【００２８】
ユーザ情報記憶部１７０は、例えば半導体メモリやＨＤＤ（Ｈａｒｄ  Ｄｉｓｋ  Ｄｒｉｖｅ）等の記憶装置を用いて構成され、例えば、ユーザ認証が肯定される対象となる登録ユーザ毎に、ユーザを特定するためのユーザＩＤ、パスワード等のユーザ情報とそのユーザが使用するコンピュータに付与されているＩＰアドレスとを関連付けたユーザ情報テーブルを、記憶する。
【００２９】
ジョブＩＤ記憶部１８０は、例えば半導体メモリやＨＤＤ（Ｈａｒｄ  Ｄｉｓｋ  Ｄｒｉｖｅ）等の記憶装置を用いて構成され、ユーザからの動作指示に応じて登録されたジョブに対して、それぞれ特定可能に付与された識別符号であるジョブＩＤを記憶する。また、ジョブＩＤ記憶部１８０に記憶されたジョブＩＤは、そのジョブＩＤで特定されるジョブが終了すると、ジョブＩＤ記憶部１８０の記憶から消去されるようにされている。
【００３０】
図３は、一のユーザに関するユーザ情報テーブルの一例を示す図である。図３に示すユーザ情報テーブルは、登録ユーザを特定するためのユーザＩＤ２０１及びパスワード２０２と、そのユーザＩＤ２０１及びパスワード２０２により特定されるユーザを示すネットワーク上での名前であるユーザ名２０３と、そのユーザのコンピュータ（以下ユーザＰＣと称す）を特定するためのアドレス情報であるＩＰアドレス２０４とを含み、さらに、例えばデジタル複合機１のスキャナ機能が用いられた場合に取得された画像データをユーザへ電子メールで送信するための電子メールアドレス２０５等の情報を含んでいる。
【００３１】
制御部１００は、例えばＣＰＵ（Ｃｅｎｔｒａｌ  Ｐｒｏｃｅｓｓｉｎｇ  Ｕｎｉｔ）、デジタル複合機１の制御プログラム等を記憶するＲＯＭ（Ｒｅａｄ  Ｏｎｌｙ  Ｍｅｍｏｒｙ）、及びデータを記憶するＲＡＭ（Ｒａｎｄｏｍ  Ａｃｃｅｓｓ  Ｍｅｍｏｒｙ）等を備え、ＣＰＵが制御プログラムをＲＯＭから読み出して実行することにより、デジタル複合機１が実行可能な各機能を制御するスキャナコントローラ１０１、ファクシミリコントローラ１０２、プリンタコントローラ１０３、コピーコントローラ１０４、ネットワークコントローラ１０５、ユーザ認証部１０６、通知部１０７、及び中断処理制御部１０８として機能する。
【００３２】
スキャナコントローラ１０１は、スキャナ部動作に必要な各部の動作制御を行うものである。そして、操作パネル部１９０によって、ユーザからのスキャナ機能を要求する動作指示が受け付けられたとき、スキャナコントローラ１０１は、スキャナ部１２０に制御信号を出力して原稿読み取りを実行させ、スキャナ部１２０から出力される画像データを画像メモリ１４０に書き込ませる。
【００３３】
ファクシミリコントローラ１０２は、ファクシミリ動作に必要な各部の動作制御を行うものであり、スキャナ部１２０に制御信号を出力して読み取らせた原稿の画像データや、ネットワークＩ／Ｆ部１６０を介して受信された画像データ等を、ファクシミリ通信部１５０及び電話回線を介して接続されたファクシミリへ送信したり、外部のファクシミリから電話回線及びファクシミリ通信部１５０を介して受信した画像データを記録部１３０へ出力してプリントアウトさせたりする。
【００３４】
プリンタコントローラ１０３は、プリンタ動作に必要な各部の動作制御を行うものであり、ネットワークＩ／Ｆ部１６０を介してネットワーク２０に接続されたコンピュータ１０ａ，１０ｂ，１０ｃから送信されたプリントアウト対象のデータを記録部１３０へ出力してプリントアウトさせる。
【００３５】
コピーコントローラ１０４は、コピー動作に必要な各部の動作制御を行うものであり、スキャナ部１２０に制御信号を出力して原稿読み取りを実行させ、スキャナ部１２０から出力される画像データを記録部１３０へ出力してプリントアウトさせる。
【００３６】
ネットワークコントローラ１０５は、ネットワークＩ／Ｆ部１６０を介してネットワーク２０に接続されたコンピュータ１０ａ，１０ｂ，１０ｃとの間で行われるデータ送受信を制御するものである。
【００３７】
ユーザ認証部１０６は、デジタル複合機１を使用しようとするユーザのユーザＩＤ及びパスワードを取得してユーザ情報記憶部１７０に記憶されているユーザＩＤ及びパスワードと照合することにより、ユーザ認証を実行する。具体的には、例えば、ユーザ認証部１０６は、ユーザがコピー等の画像処理の実行を指示するための動作指示が操作パネル部１９０によって受け付けられたとき、ユーザにユーザＩＤとパスワードの入力を促すためのガイド画面を表示部１９１に表示させ、操作キー部１９２により受け付けられたユーザＩＤとパスワードとを取得して、ユーザ情報記憶部１７０に記憶されているユーザＩＤ及びパスワードと照合する。
【００３８】
また、ユーザ認証部１０６は、例えば、ユーザがコンピュータ１０ａを用いて送信させたプリントアウトやファクシミリ送信等の画像処理の実行を指示するための動作指示がネットワーク２０を介してネットワークＩ／Ｆ部１６０によって受け付られた場合、ユーザのユーザＩＤ及びパスワードを要求するユーザ情報要求コマンドを、ネットワークＩ／Ｆ部１６０及びネットワーク２０を介してコンピュータ１０ａへ送信する。そして、ユーザ認証部１０６は、ユーザ情報要求コマンドに応じてコンピュータ１０ａから送信されたユーザＩＤ及びパスワードをネットワーク２０及びネットワークＩ／Ｆ部１６０を介して取得する。
【００３９】
通知部１０７は、ユーザ認証部１０６によってユーザ認証が実行された場合、ユーザ認証部１０６により取得されたユーザＩＤと関連付けて、ユーザ情報記憶部１７０に記憶されているコンピュータ、すなわち通知対象のコンピュータに付与されているＩＰアドレスを宛先にして、ネットワークＩ／Ｆ部１６０及びネットワーク２０を介して通知情報を送信する。この場合、通知部１０７は、ユーザからの動作指示に応じて発生したジョブを示すジョブＩＤを、通知情報に含めて送信しても良い。
【００４０】
中断処理制御部１０８は、例えばコンピュータ１０ａからネットワーク２０及びネットワークＩ／Ｆ部１６０を介してデジタル複合機１が実行中のジョブを中断させるための中断要求を受信した場合、その実行中のジョブを中断させる。この場合、例えば、コンピュータ１０ａは、後述する通知情報処理プログラムを実行することにより通知部１０７からの通知情報をユーザに視識可能に表示すると共に、ユーザからジョブを中断させるための中断指示を受け付けたとき、中断要求をネットワーク２０を介してデジタル複合機１へ送信するようにしてもよい。また、コンピュータ１０ａは、通知情報に含まれているジョブＩＤを、中断要求に含めて送信するようにしても良い。
【００４１】
コンピュータ１０ａは、例えばディスプレイ１１、マウス１２、及びキーボード１３を備えたパーソナルコンピュータであり、例えばＣＤＲＯＭ（Ｃｏｍｐａｃｔ  Ｄｉｓｃ  Ｒｅａｄ  Ｏｎｌｙ  Ｍｅｍｏｒｙ）２１に記録された種々のプログラムを読み取って、内蔵するＨＤＤやメモリ等に記憶し、これらのプログラムを実行することにより、デジタル複合機１との間でネットワーク２０を介して種々のデータを送受信することが可能にされている。
【００４２】
具体的には、コンピュータ１０ａは、例えば、ＣＤＲＯＭ２１から読み取った通信プログラムを実行することにより、例えば文書作成プログラムを用いて作成された文書データや画像データ等の処理対象データと、処理対象データに基づいてファクシミリ送信させたり画像形成させたりするための動作指示と、コンピュータ１０ａのＩＰアドレスとをネットワーク２０を介してデジタル複合機１へ送信し、デジタル複合機１にファクシミリ送信や画像形成等の画像処理を実行させることが可能にされている。
【００４３】
また、コンピュータ１０ａは、例えば、ＣＤＲＯＭ２１から読み取ったユーザ情報受付プログラムを実行することにより、デジタル複合機１からコンピュータ１０ａ宛てにユーザ情報の送信を要求するユーザ情報要求が送信されたとき、そのユーザ情報要求を受け付けると共に、ユーザに対してユーザＩＤとパスワードの入力を促すためのガイド画面をディスプレイ１１に表示させる。そして、コンピュータ１０ａは、ユーザがマウス１２及びキーボード１３を用いて入力したユーザＩＤ及びパスワードと、コンピュータ１０ａのＩＰアドレスとをネットワーク２０を介してデジタル複合機１へ送信する。
【００４４】
また、コンピュータ１０ａは、例えば、ＣＤＲＯＭ２１から読み取った通知情報処理プログラムを実行することにより、デジタル複合機１からコンピュータ１０ａ宛てに通知情報が送信されたとき、その通知情報を受け付けて、ユーザに対してその通知情報を視識可能にディスプレイ１１に表示させる。さらに、コンピュータ１０ａは、通知情報に含まれるジョブＩＤで特定されるジョブを中断させるための中断指示をユーザが入力可能にするためのジョブ停止ボタンをディスプレイ１１に表示させ、そのジョブ停止ボタンがマウス１２を用いてクリックされたことが検出されたとき、そのジョブＩＤと中断要求とをネットワーク２０を介してデジタル複合機１へ送信する。
【００４５】
他のコンピュータ１０ｂ，１０ｃも、それぞれコンピュータ１０ａと同様にされている。
【００４６】
次に、上記のように構成されたデジタル複合機１の動作について説明する。図４は、図２に示すデジタル複合機１による認証処理結果通知動作の一例を説明するためのフローチャートである。
【００４７】
図１を参照して、例えばユーザが、ファクシミリ送信をデジタル複合機１に実行させるべく、コンピュータ１０ａを用いて通信プログラムを実行させ、ファクシミリ送信を示す動作指示とファクシミリ送信の対象となる画像データとをコンピュータ１０ａからネットワーク２０を介してデジタル複合機１へ送信させた場合、制御部１００によって、ネットワークＩ／Ｆ部１６０を介してファクシミリ送信を示す動作指示と画像データとが受け付けられ、その動作指示を送信したコンピュータ１０ａのＩＰアドレスが送信元アドレス情報として取得され、受け付けられた動作指示に対応するファクシミリ送信のジョブに関連付けてジョブＩＤが付与されると共に、そのジョブＩＤがジョブＩＤ記憶部１８０に記憶される（ステップＳ１０１）。
【００４８】
そして、制御部１００によって、ファクシミリ送信がユーザ認証を必要とする処理であるか否かが判断され、ファクシミリ送信がユーザ認証を必要としない処理であった場合（ステップＳ１０２でＮＯ）はファクシミリ送信のジョブを実行すべくステップＳ１０８へ移行する一方、ファクシミリ送信がユーザ認証を必要とする処理であった場合（ステップＳ１０２でＹＥＳ）はユーザ認証を実行すべくステップＳ１０３へ移行する。
【００４９】
なお、例えばユーザが操作キー部１９２を用いてファクシミリ送信をさせるための操作キーを押下した場合、制御部１００によって、操作キー部１９２を介してファクシミリ送信を示す動作指示が受け付けられる構成であってもよい。
【００５０】
次に、ステップＳ１０３において、ユーザ認証部１０６によって、制御部１００により取得された送信元アドレス情報、すなわちコンピュータ１０ａのＩＰアドレスを宛先にして、ユーザＩＤとパスワードを要求するユーザ情報要求が、ネットワークＩ／Ｆ部１６０を介してネットワーク２０へ送信される。そして、そのユーザ情報要求がコンピュータ１０ａによって受信されると、コンピュータ１０ａによりユーザ情報受付プログラムが実行され、ユーザに対してユーザＩＤとパスワードの入力を促すためのガイド画面がディスプレイ１１に表示される。そして、コンピュータ１０ａにより、ユーザがマウス１２及びキーボード１３を用いて入力したユーザＩＤ及びパスワードと、コンピュータ１０ａのＩＰアドレスとが送信される。
【００５１】
そして、そのユーザＩＤ及びパスワードと、コンピュータ１０ａのＩＰアドレスとがネットワーク２０及びネットワークＩ／Ｆ部１６０を介してユーザ認証部１０６により受け付けられるとステップＳ１０４へ移行する。
【００５２】
なお、例えばファクシミリ送信を示す動作指示が、制御部１００により操作キー部１９２を介して受け付けられた場合、ユーザ認証部１０６によって、ユーザに対してユーザＩＤとパスワードの入力を促すためのガイド画面が表示部１９１に表示され、ユーザが操作キー部１９２を用いて入力したユーザＩＤとパスワードが、ユーザ認証部１０６により受け付けられる構成であっても良い。
【００５３】
次に、ステップＳ１０４において、ユーザ認証部１０６によって受け付けられたユーザからのユーザＩＤとパスワードが、ユーザ情報記憶部１７０に記憶されているユーザ情報テーブルと照合される。そして、ユーザ認証部１０６によって、その照合の結果、そのユーザＩＤ及びパスワードと、ユーザ情報テーブルに記憶されているユーザＩＤ及びパスワードとの一致が検出されなかったとき（ステップＳ１０４でＮＯ）、再びユーザＩＤとパスワードとを取得すべくステップＳ１０３へ移行する一方、検出されたとき（ステップＳ１０４でＹＥＳ）、ステップＳ１０５へ移行する。
【００５４】
次に、ステップＳ１０５において、ユーザ認証部１０６により受け付けられたユーザＩＤに関連付けてユーザ情報記憶部１７０に記憶されている対象ユーザのユーザ情報テーブルに、ユーザＰＣのＩＰアドレスが記憶されているか否かが、ユーザ認証部１０６によって確認され、その確認の結果、ユーザＰＣのＩＰアドレスが記憶されていないとき（ステップＳ１０５でＮＯ）、ファクシミリ送信のジョブを実行すべくステップＳ１０８へ移行する一方、ユーザＰＣのＩＰアドレスが記憶されているとき（ステップＳ１０５でＹＥＳ）、ステップＳ１０６へ移行する。
【００５５】
この場合、例えば、ユーザ認証部１０６によって受け付けられたユーザＩＤ２０１が「１２３４５６」であった場合、図３に示すように、ユーザＩＤ２０１として「１２３４５６」が記憶されている対象ユーザのユーザ情報テーブルに、ＩＰアドレス２０４が記憶されているか否かが確認される。以下、図３に示すユーザ情報テーブルが、対象ユーザのユーザ情報テーブルであるとして、説明する。
【００５６】
次に、ステップＳ１０６において、ユーザ認証部１０６によって、ユーザＩＤ及びパスワードとともに受け付けられたコンピュータ１０ａのＩＰアドレスと、対象ユーザのユーザ情報テーブルに記憶されているＩＰアドレスとが一致するか否かが確認され、その確認の結果、ＩＰアドレスが一致するとき、すなわちユーザＩＤ及びパスワードの送信元のコンピュータ１０ａがそのユーザＩＤで特定されるユーザのユーザＰＣであるとき（ステップＳ１０６でＮＯ）、ファクシミリ送信のジョブを実行すべくステップＳ１０８へ移行する一方、ＩＰアドレスが一致しないとき、すなわちユーザＩＤ及びパスワードの送信元のコンピュータ１０ａがそのユーザＩＤで特定されるユーザのユーザＰＣではないとき（ステップＳ１０６でＹＥＳ）、通知情報をユーザＰＣへ送信すべくステップＳ１０７へ移行する。
【００５７】
次に、ステップＳ１０７において、通知部１０７によって、通知情報が、対象ユーザのユーザ情報テーブルに記憶されているＩＰアドレスを宛先にして、ネットワークＩ／Ｆ部１６０を介してネットワーク２０へ送信される。
【００５８】
図５は、通知情報の一例を示す図である。図５に示す通知情報には、ユーザ名２１１と、デジタル複合機１を示すネットワーク上での名前であるデジタル複合機名２１２と、ユーザ認証部１０６によってユーザＩＤとパスワードが受け付けられた時刻を示す認証時刻２１３と、ジョブの種類を示すジョブ種別２１４と、ステップＳ１０１において制御部１００により受け付けられた動作指示に対応するジョブを示すジョブＩＤ２１５と、ユーザＩＤ及びパスワードの送信元のコンピュータのＩＰアドレスを示すジョブ実行要求送信元情報２１６とが含まれている。
【００５９】
この場合、例えば、図３に示す対象ユーザのユーザ情報テーブルの、ユーザ名２０３で示される「ＵＳＥＲ」が、図５に示す通知情報のユーザ名２１１として用いられ、ＩＰアドレス２０４で示されるアドレス情報「１９２．１６８．０．１」が、通知情報の宛先アドレスとして用いられる。
【００６０】
次に、ステップＳ１０８において、ファクシミリコントローラ１０２によってジョブＩＤ２１５で示されるファクシミリ送信のジョブが開始される。具体的には、ステップＳ１０１において制御部１００により受け付けられた画像データが、ファクシミリコントローラ１０２によって、ファクシミリ通信部１５０及び電話回線を介して接続されたファクシミリへ送信される。そして、ファクシミリ送信が終了すると、このファクシミリ送信ジョブに付与されているジョブＩＤが、ファクシミリコントローラ１０２によってジョブＩＤ記憶部１８０の記憶から消去される。
【００６１】
なお、ユーザからの動作指示がファクシミリ送信を要求する動作指示であった場合の例を示したが、ユーザによってデジタル複合機１が備える他のスキャナ機能、コピー機能、プリンタ機能等による画像処理動作を要求する動作指示がされた場合であっても、同様にしてその動作指示に応じた処理が実行される。
【００６２】
次に、デジタル複合機１から通知情報を受信したコンピュータの動作を説明する。図６は、通知情報を受信したコンピュータの動作を説明するためのフローチャートである。例えば、通知情報の宛先アドレスとなるＩＰアドレス２０４で示されるアドレス情報が、コンピュータ１０ｂを示すアドレスであった場合、ステップＳ１０７において通知部１０７によりネットワーク２０へ送信された図５に示す通知情報は、コンピュータ１０ｂによって受信される（ステップＳ２０１）。
【００６３】
次に、コンピュータ１０ｂにより通知情報処理プログラムが実行されることによって、受信された通知情報が視識可能にディスプレイ１１に表示される（ステップＳ２０２）。図７は、ディスプレイ１１に表示される通知情報の表示画面の一例を示す図である。図７に示す表示画面には、通知情報を視識可能に表示するための通知表示２２２と、中断指示をユーザが入力可能にするためのジョブ停止ボタン２２３と、ウィンドウ２２１の表示を消すためのＯＫボタン２２４と、通知表示２２２、ジョブ停止ボタン２２３、及びＯＫボタン２２４をウィンドウ表示するためのウィンドウ２２１が含まれている。
【００６４】
この場合、図５に示す通知情報に含まれているデジタル複合機名２１２「ＤＰＰＣ」と、ユーザ名２１１「ＵＳＥＲ」と、ジョブ種別２１４「ＦＡＸ送信」とに基づいて、通知表示２２２の表示が行われるので、ユーザは、名前が「ＤＰＰＣ」のデジタル複合機１で、ユーザ名が「ＵＳＥＲ」のユーザＩＤによって行われたユーザ認証に基づいて、「ＦＡＸ送信」ジョブが開始されたことを知ることができる。
【００６５】
これにより、ユーザは、自分が知らない間にコンピュータ１０ａを用いて正規ユーザになりすました他のユーザによって、不正にユーザＩＤとパスワードとが用いられてデジタル複合機１が使用されたことを知ることができる。
【００６６】
なお、通知表示２２２は、通知情報に含まれている認証時刻２１３、ジョブ実行要求送信元情報２１６などの情報を含んで表示するものであっても良い。これにより、例えば正規ユーザになりすました他のユーザを探すことが容易になる。
【００６７】
次に、コンピュータ１０ｂにより通知情報処理プログラムが実行されることによって、ジョブ停止ボタン２２３がマウス１２を用いてクリックされたことが検出されたとき（ステップＳ２０３でＹＥＳ）、ジョブＩＤ２１５で示されるジョブを中断させるべく、ジョブＩＤ２１５及びコンピュータ１０ｂのＩＰアドレスが付加された中断要求が、ネットワーク２０を介してデジタル複合機１へ送信される（ステップＳ２０４）一方、ＯＫボタン２２４がマウス１２を用いてクリックされたことが検出されたとき（ステップＳ２０３でＮＯ）、通知情報処理プログラムの実行が終了する。
【００６８】
これにより、ユーザは、通知表示２２２に基づいてデジタル複合機１が不正に用いられていることを知った場合、不正に実行されているジョブを中断させるための中断要求を、コンピュータ１０ｂからデジタル複合機１へ送信させることができる。
【００６９】
次に、中断要求を受け付けたデジタル複合機１の動作を説明する。図８は、デジタル複合機１による中断処理を説明するためのフローチャートである。まず、コンピュータ１０ｂから送信されネットワーク２０及びネットワークＩ／Ｆ部１６０を介して受信された中断要求、あるいはユーザが操作パネル部１９０を用いて入力した中断要求が、中断処理制御部１０８によって受け付けられると（ステップＳ３０１でＹＥＳ）、ステップＳ３０２へ移行し、その中断要求が操作パネル部１９０を介して受け付けられたとき（ステップＳ３０２でＮＯ）はステップＳ３０５へ移行する一方、その中断要求がネットワークＩ／Ｆ部１６０を介して受け付けられたとき（ステップＳ３０２でＹＥＳ）はユーザ認証を行うべくステップＳ３０３へ移行する。
【００７０】
次に、ステップＳ３０３において、中断処理制御部１０８によって中断要求に付加されているＩＰアドレス、すなわちコンピュータ１０ｂのＩＰアドレスを宛先にして、ユーザＩＤとパスワードを要求するユーザ情報要求が、ネットワーク２０へ送信される。そして、そのユーザ情報要求がコンピュータ１０ｂによって受信されると、コンピュータ１０ｂによりユーザ情報受付プログラムが実行され、ユーザに対してユーザＩＤとパスワードの入力を促すためのガイド画面がディスプレイ１１に表示される。そして、コンピュータ１０ｂにより、ユーザがマウス１２及びキーボード１３を用いて入力したユーザＩＤ及びパスワードと、コンピュータ１０ｂのＩＰアドレスとが送信されると共に、ネットワーク２０及びネットワークＩ／Ｆ部１６０を介して中断処理制御部１０８により受け付けられるとステップＳ３０４へ移行する。
【００７１】
次に、ステップＳ３０４において、中断処理制御部１０８によって受け付けられたユーザからのユーザＩＤとパスワードが、ユーザ情報記憶部１７０に記憶されているユーザ情報テーブルと照合される。そして、中断処理制御部１０８によって、その照合の結果、そのユーザＩＤ及びパスワードと、ユーザ情報テーブルに記憶されているユーザＩＤ及びパスワードとの一致が検出されなかったとき（ステップＳ３０４でＮＯ）、再びユーザＩＤとパスワードとを取得すべくステップＳ３０３へ移行する一方、検出されたとき（ステップＳ３０４でＹＥＳ）、ステップＳ３０５へ移行する。
【００７２】
これにより、中断要求を行ったユーザのユーザ認証が行われる。
【００７３】
次に、ステップＳ３０５において、中断処理制御部１０８によって、中断要求に付加されているジョブＩＤが取得され、そのジョブＩＤがジョブＩＤ記憶部１８０に記憶されているか否かが確認される。そして、その確認の結果、そのジョブＩＤがジョブＩＤ記憶部１８０に記憶されていないとき（ステップＳ３０６でＮＯ）、すでにそのジョブＩＤで特定されるジョブは処理が終了しているので再び中断要求の受付処理に戻るべくステップＳ３０１へ移行する一方、そのジョブＩＤがジョブＩＤ記憶部１８０に記憶されているとき（ステップＳ３０６でＹＥＳ）は、そのジョブＩＤで特定されるジョブの実行を中断させる（ステップＳ３０７）。
【００７４】
これにより、ユーザは、コンピュータ１０ｂを用いてジョブ停止ボタン２２３をマウス１２でクリックすることにより、通知表示２２２で示されるジョブの処理を中断させることが可能になる。
【００７５】
なお、ステップＳ１０７において通知情報が送信された後、連続してステップＳ１０８においてジョブが開始される例を示したが、ステップＳ１０７において通知情報が送信された後、ユーザからの中断要求の受付を待つべく所定時間経過後にステップＳ１０８へ移行する構成としても良い。
【００７６】
また、ステップＳ２０３において、ＯＫボタン２２４がマウス１２を用いてクリックされたことが検出されたとき通知情報処理プログラムの実行が終了する例を示したが、ＯＫボタン２２４がマウス１２を用いてクリックされたことが検出されたとき、ジョブを開始させるための開始要求がコンピュータ１０ｂからネットワーク２０を介してデジタル複合機１へ送信される構成とし、ステップＳ１０８においてコンピュータ１０ｂからの開始要求がデジタル複合機１により受信されるまでジョブが開始されない構成としても良い。
【００７７】
【発明の効果】
請求項１に記載の発明によれば、ユーザ認証を行うためのユーザ情報が受け付けられたとき、そのユーザ情報で示されるユーザのコンピュータへ、ネットワークを介してそのユーザ情報が受け付けられた旨を示す通知情報を送信することができるので、ユーザ認証が行われたとき、認証されたユーザにユーザ認証が行われた旨を通知することができる。
【００７８】
請求項２に記載の発明によれば、ユーザ認証を行うために受け付けられたユーザ情報と関連付けてユーザ情報記憶部に記憶されているアドレス情報と、送信元アドレス情報とが異なっていた場合、通知部によりネットワークを介して、前記通知対象のコンピュータへ通知情報が送信されるので、不正にユーザ認証が行われた疑いがあるときに、そのユーザ情報で示されるユーザにユーザ認証が行われた旨を通知することができる。
【００７９】
請求項３に記載の発明によれば、ユーザ認証を行うために受け付けられたユーザ情報と関連付けてユーザ情報記憶部に記憶されているアドレス情報と、送信元アドレス情報とが一致しており、従って正しくユーザ認証が行われたと推定できるときは、通知情報が送信されない。
【００８０】
請求項４に記載の発明によれば、ユーザは、通知情報を受信したコンピュータを用いて、そのコンピュータからネットワークを介して中断要求を送信させることにより、画像処理部の処理を中断させることができる。
【００８１】
請求項５に記載の発明によれば、通知情報が送信されてから所定時間経過するまで動作指示に応じた処理が実行されないので、ユーザが通知情報を受信したコンピュータを用いて、そのコンピュータからネットワークを介して中断要求を送信し、その動作指示に応じた画像処理部の処理を中断させるための時間的余裕が生じる。
【００８２】
請求項６に記載の発明によれば、アドレス情報としてＩＰアドレスが用いられるので、ネットワークとしてインターネットを用いることが容易になる。
【図面の簡単な説明】
【図１】本発明に係る画像処理装置の一例であるデジタル複合機を用いた画像処理システムの全体構成図である。
【図２】本発明に係る画像処理装置の一例であるデジタル複合機の概略ブロック図である。
【図３】ユーザ情報テーブルの一例を示す図である。
【図４】図２に示すデジタル複合機による認証処理結果通知動作の一例を説明するためのフローチャートである。
【図５】通知情報の一例を示す図である。
【図６】通知情報を受信したコンピュータの動作を説明するためのフローチャートである。
【図７】通知情報の表示画面の一例を示す図である。
【図８】図２に示すデジタル複合機による中断処理を説明するためのフローチャートである。
【符号の説明】
１            デジタル複合機
１０ａ，１０ｂ，１０ｃ    コンピュータ
２０        ネットワーク
１００    制御部（画像処理部、動作制御部）
１０６    ユーザ認証部
１０７    通知部
１０８    中断処理制御部（動作制御部）
１２０    スキャナ部
１３０    記録部
１４０    画像メモリ
１５０    ファクシミリ通信部
１６０    ネットワークＩ／Ｆ部（ユーザ情報受付部、動作指示受付部、中断要求受付部）
１７０    ユーザ情報記憶部
１８０    ジョブＩＤ記憶部
１９０    操作パネル部（ユーザ情報受付部）
【図１】
2004297680.tif 000003
【図２】
2004297680.tif 000004
【図３】
2004297680.tif 000005
【図４】
2004297680.tif 000006
【図５】
2004297680.tif 000007
【図６】
2004297680.tif 000008
【図７】
2004297680.tif 000009
【図８】
2004297680.tif 000010